(57)【要約】【課題】  部品点数が多い、ネットに皺が生じる、ネットの張りが弱い、ネットの張設状態が不安定である、といった問題を解決できる簡易なネット支持構造体を提供すること。【解決手段】    ネット２０の張設面と平行な水平方向に設置される左右方向フレーム１ａ〜１ｄと、ネット２０の張設面と交差する方向に設置される前後方向フレーム２ａ〜２ｄと、上下方向に設置される支柱フレーム３ａ〜３ｄとを互いに連結し、さらに前記支柱フレーム３ａ〜３ｄを外側へ傾斜した状態で前記左右方向フレーム１ａ〜１ｄと連結することで、前記支柱フレーム３ａ〜３ｄと前記左右方向フレーム１ａ〜１ｄの弾性復元力により前記支柱フレーム３ａ〜３ｄの上端側を外側に開くように付勢してネット２０を張設できるようにしたネット支持構造体１０。【選択図】図１
2011024660.tif 000002
【特許請求の範囲】
【請求項１】
ネットの張設面と平行な水平方向に設置される左右方向フレームと、
ネットの張設面と交差する方向に設置される前後方向フレームと、
上下方向に設置される支柱フレームと
を互いに連結してなるネット支持構造体において、
前記支柱フレームを外側へ傾斜した状態で前記左右方向フレームと連結することで、前記支柱フレームと前記左右方向フレームの弾性復元力により前記支柱フレームの上端側を外側に開くように付勢可能とし、ネットを張設できるようにしたことを特徴とするネット支持構造体。
【請求項２】
前記左右方向フレームは、上に凸となる弓なりの状態となっていることを特徴とする請求項１に記載のネット支持構造体。
【請求項３】
前記支柱フレームは、前記左右方向フレームと９３度〜１００度の鈍角にて連結されていることを特徴とする請求項１又は２に記載のネット支持構造体。
【請求項４】
前記左右方向フレームは、２以上の部分に分離可能となっており、その接合部は相対回動不能に嵌合するようになっていることを特徴とする請求項１又は２に記載のネット支持構造体。
【請求項５】
（１）ネットの張設面と平行な水平方向に設置される左右方向フレームと、
ネットの張設面と交差する方向に設置される前後方向フレームと、
上下方向に設置される支柱フレームと
を互いに連結してなるネット支持構造体であって、
前記支柱フレームを外側へ傾斜した状態で前記左右方向フレームと連結することで、前記支柱フレームと前記左右方向フレームの弾性復元力により前記支柱フレームの上端側を外側に開くように付勢可能とし、ネットを張設できるようにしたネット支持構造体と、
（２）当該ネット支持構造体の前記支柱フレームを内方に引き戻しながら、前記支柱フレームを挿入可能な筒状部を左右の端部に設けたネットであって、
前記筒状部内において前記支柱フレームの上端面に対応する部分を袋縫いすることなく、前記支柱フレームの上端面が当接する別体の布を前記筒状部の上端部に固定したネットと
から構成したことを特徴とするネットセット。
【発明の詳細な説明】
【技術分野】
【０００１】
本発明は、バドミントン、テニス、バレーなどのネットを用いるスポーツまたは遊技に使用できるネット支持構造体であって、ネット自体が実質的に伸縮性を有していない場合にもネットを張設可能であり、部品点数が少なく軽量で構造が簡易であり、ネットの張設に手間がかかったりネットに皺が生じることも無く、どのような場所でネットを設置する場合においてもネットの張設状態が常時強く安定しているネット支持構造体に関するものである。
【０００２】
さらに、本発明は、上記ネット支持構造体とネットとからなるネットセットであって、特にネットの支柱付近の端部において皺が生じることの無いネットセットに関するものである。
【背景技術】
【０００３】
従来、二本の支柱の先端から引き出した弾性ゴム紐によりネットの左右の端部を引っ張ることでネットを張設するようにしたネットサポートの構造が提案されている（特許文献１参照）。
【０００４】
しかし、かかる従来のネットサポートの構造においては、ネットを張った状態にするために必要な弾性ゴム紐や、ネット自体に組み込まれている柔軟な弾性材料（ゴム）により、部品点数が増大するといった問題や、ゴムの経時変化の影響を避けることができないためにネットの張設状態が不安定であるといった問題や、特にネットのサイドの部分などに自然と皺が生じてしまうという根本的な欠点があった。
【０００５】
また、支柱を支えるために支柱と地面との間に張り渡される張り綱を用いるネット装置においても、部品点数が多いといった問題や、ネットの張設に手間がかかるといった問題及びネットの張りが弱いといった問題があった（特許文献２参照）。
【０００６】
さらに、特許文献２に記載のネット装置においては、地面にペグを打ち込んだり、水や砂などを入れた袋や容器によるおもしを張り綱固定棒の上に置く必要があり、これらの条件を満たせない場所ではネットを設置できないという問題があった。
【０００７】
また、２本の支柱を保持するために立柱サポート伸縮架を用いるネットサポート構造においては、構造が複雑で部品点数が多くなり重量も増大するという問題や、支柱の間隔が定まらずネットの張設状態が不安定であるという問題があった（特許文献３参照）。
【０００８】
そこで、２本の支柱の下端部間を連結する連結パイプの中央部に張設補助支柱を設けてネットの張設を図るスポーツ用ネットが提案されているが、かかる構造によってはネットに加えられる張力が微弱であるといった問題や、張設補助支柱により構造が複雑化し部品点数が増大するといった問題及び組み立てに手間がかかるといった問題や、両端部の支柱の設置面の高さと張設補助支柱の設置面の高さを正しく揃える必要があるなど、ネットの設置場所によってはネットの張設状態が不安定になるという問題があった（特許文献４参照）。
【先行技術文献】
【特許文献】
【０００９】
【特許文献１】実用新案登録第３１００７１６号公報
【特許文献２】特開平８−７１１８９号公報
【特許文献３】実用新案登録第３１４３２３４号公報
【特許文献４】特開２００４−１６６８８４号公報
【発明の概要】
【発明が解決しようとする課題】
【００１０】
そこで、本発明が解決しようとする課題は、ゴムなどの柔軟な弾性材料、張り綱、伸縮架または張設補助支柱などを用いてネットを張設することにより部品点数が多くなり構造が複雑になったり重量が増大すること、ネットの張設に手間がかかること、ネットに皺が生じること、ネットの張りが弱いこと、及び、ネットの張設状態が経時変化や設置場所によって不安定となったりネットの設置自体が困難になることであり、本発明の目的は、それらの問題を解決する簡易なネット支持構造体を提供することにある。
【００１１】
さらに、本発明の目的は、前記の問題を解決する簡易なネット支持構造体とネットとからなるネットセットであって、軽量で持ち運びに便利であり、どのような場所でネットを設置するに際してもネットの張設状態が常時強く安定しており、特にネットの支柱付近の端部において皺が生じることが無く、かつ、組み立ても容易なネットセットを提供することにある。
【課題を解決するための手段】
【００１２】
本発明は、ネット自体には特にネットを張るための弾性部材を使用しなくてもネットを強く張設可能とするものであり、前後方向フレーム、左右方向フレーム及び支柱フレームを互いに連結したネット支持構造体であって、前記支柱フレームを外側へ傾斜した状態で前記左右方向フレームと連結することで、前記支柱フレームと前記左右方向フレームの弾性復元力により前記支柱フレームの上端側を外側に開くように付勢可能とし、ネットを張設できるようにしたことを最も主要な特徴とするものである。
【００１３】
前記左右方向フレームは、上に凸となる弓なりの状態となっていてもよく、また、前記支柱フレームは、前記左右方向フレームと９３度〜１００度の鈍角にて連結されているとよい。
【００１４】
前記左右方向フレームは、２以上の部分に分離可能となっており、その接合部は相対回動不能に嵌合するようになっていてもよい。
【００１５】
さらに、本発明は、（１）前記のネット支持構造体と、（２）当該ネット支持構造体の前記支柱フレームを内方に引き戻しながら、前記支柱フレームを挿入可能な筒状部を左右の端部に設けたネットであって、前記筒状部内において前記支柱フレームの上端面に対応する部分を袋縫いすることなく、前記支柱フレームの上端面が当接する別体の布を前記筒状部の上端部に固定したネットとから構成したネットセットを主要な特徴とするものである。
【発明の効果】
【００１６】
本発明のネット支持構造体は、支柱フレームを外側へ傾斜した状態で左右方向フレームと互いに連結することにより、ネット自体には特にネットを張るための弾性部材を使用しなくてもネットを強く張ることができ、しかも支柱間の距離に狂いが生じることが無く、いつどのような場所でネットを設置するに際してもネットの張設状態が常時強く安定しており、部品点数を増大させることもない。
【００１７】
本発明のネット支持構造体は、前記左右方向フレームを上に凸となる弓なりの状態としたり、前記支柱フレームを前記左右方向フレームと９３度〜１００度の鈍角にて連結することで、構造が簡易でありながら、ネットを強く張った状態に維持することができるという利点がある。
【００１８】
本発明のネット支持構造体は、前記左右方向フレームを２以上の部分に分離可能とすることで収納が容易となり、さらには前記左右方向フレームの接合部を相対回動不能に嵌合して連結することで、前記支柱フレームと前記左右方向フレームの弾性復元力により前記支柱フレームの上端側を外側に開くように確実に付勢できる。
【００１９】
本発明のネットセットは、前記支柱フレームを挿入可能なネットの筒状部内において、前記支柱フレームの上端面に対応する部分を袋縫いすることなく、前記支柱フレームの上端面が当接する別体の布を前記筒状部の上端部に固定したネットとから構成したため、ネットの左右の端部において皺が生じることが無く、ネットを正確にしかも強くきれいに張ることができ、当該筒状部に記載した文字やロゴなどの見栄えを害することもない。
【図面の簡単な説明】
【００２０】
【図１】図１は本発明のネット支持構造体とネットを示す斜視図である。（実施例１）
【図２】図２は本発明のネット支持構造体を組み付ける際の様子を示す斜視図である。（実施例１）
【図３】図３は本発明のネット支持構造体の左右方向フレームを示す斜視図である。（実施例１）
【図４】図４は本発明のネット支持構造体の左右方向フレームの中央部の連結部を示す斜視図である。（実施例１）
【図５】図５は本発明のネット支持構造体の左右方向フレームと支柱フレームとからなる剛性フレームの弾性変形の様子を示す正面図である。（実施例１）
【図６】図６は本発明のネット支持構造体の各フレームを分離して収納した状態を示す斜視図である。（実施例１）
【図７】図７は本発明のネット支持構造体とネットをバドミントンまたはバレー用に組み立てた状態を示す斜視図である。（実施例１）
【図８】図８は本発明のネット支持構造体とネットをテニス用に組み立てた状態を示す斜視図である。（実施例１）
【図９】図９は本発明の支柱付近のネットの端部（筒状部など）を示す斜視図である。（実施例１）
【図１０】図１０は本発明のネットの筒状部の内部構造を示す斜視図である。（実施例１）
【図１１】図１１は本発明のネット支持構造体の左右方向フレームと支柱フレームとからなる剛性フレームの弾性変形の様子を示す正面図である。（実施例２）
【発明を実施するための形態】
【００２１】
ネットの張設面と平行な水平方向に設置される左右方向フレームと、ネットの張設面と交差する方向に設置される前後方向フレームと、上下方向に設置される支柱フレームと
を互いに連結してなるネット支持構造体において、前記支柱フレームを外側へ傾斜した状態で前記左右方向フレームと連結することで、前記支柱フレームと前記左右方向フレームの弾性復元力により前記支柱フレームの上端側を外側に開くように付勢可能とし、ネットを張設できるようにすることで、最小の部品点数で、構造が簡易でありながら、どのような設置場所においても常時ネットが強く張られた状態を安定して得られるネット支持構造体を実現した。
【００２２】
さらに、（１）前記のネット支持構造体と、（２）当該ネット支持構造体の前記支柱フレームを内方に引き戻しながら、前記支柱フレームを挿入可能な筒状部を左右の端部に設けたネットであって、前記筒状部内において前記支柱フレームの上端面に対応する部分を袋縫いすることなく、前記支柱フレームの上端面が当接する別体の布を前記筒状部の上端部に固定したネットとからネットセットを構成し、組み立てが容易であり、かつ、ネットの左右の端部において皺が生じることが無く、ネットを正確にしかも強くきれいに張ることができ、当該筒状部に記載した文字やロゴなどの見栄えを害することもないネットセットを実現した。
【実施例１】
【００２３】
図１は、本発明を具体化したネット支持構造体１０とネット２０とからなるネットセットの一実施例を示す斜視図であって、１ａ〜１ｄはネットの張設面と平行な水平方向に設置される左右方向フレーム、２ａ〜２ｄはネットの張設面と交差する方向に設置される前後方向フレーム、３ａ〜３ｄは上下方向に設置される支柱フレームである。
【００２４】
まず、本実施例のネット支持構造体１０について説明すると、前記各フレーム１ａ〜１ｄ，２ａ〜２ｄ，３ａ〜３ｄは、直径が１９ｍｍ〜２２ｍｍ、厚みが１ｍｍ〜１．２ｍｍの扱い易さ、入手容易性、強度及び重量の点などで有利な鉄製のパイプから構成されており、互いに連結されることでネット２０を支える剛性強度を備えるとともに、ネット２０を強く張る弾性復元力を発揮できるようになっている。
【００２５】
図１及び図２において、右端に配置されている前記左右方向フレーム１ａは、その右端部に前後方向及び上方を向いた計３本のパイプを溶接してなる接続管部４を備え、前記前後方向フレーム２ａ，２ｂの内端部及び下側の支柱フレーム３ａの下端部を嵌め込んで互いに連結することができるようになっている。
【００２６】
そして、この接続管部４の上側に連結された支柱フレーム３ａと、左右方向フレーム１ａとの為す角度θ１は、約９５度の鈍角となっており、前記支柱フレーム３ａ及びその上端部に接続される支柱フレーム３ｂを外側へ傾斜した状態で前記左右方向フレーム１ａと連結するようになっている。
【００２７】
また、前記接続管部４の前後に連結された前記各前後方向フレーム２ａ，２ｂと、前記支柱フレーム３ａとの為す角度θ２は、約９７．５度の鈍角となっており、前記接続管部４が水平な設置面から若干浮き上がり（本実施例では約４ｃｍ）、前記前後方向フレーム２ａ，２ｂの外端部（より詳細には外端部に嵌め込まれた樹脂製のキャップ）のみが設置面と接触して脚として作用するようになっている。
【００２８】
同様に、図１及び図２において、左端に配置されている前記左右方向フレーム１ｃは、その左端部に前後方向及び上方を向いた計３本のパイプを溶接してなる接続管部４を備え、前記前後方向フレーム２ｃ，２ｄの内端部及び下側の支柱フレーム３ｃの下端部を嵌め込んで互いに連結することができるようになっている。
【００２９】
そして、この接続管部４の上側に連結された支柱フレーム３ｃと、左右方向フレーム１ｃとの為す角度θ１は、約９５度の鈍角となっており、前記支柱フレーム３ｃ及びその上端部に接続される支柱フレーム３ｄを外側へ傾斜した状態で前記左右方向フレーム１ｃと連結するようになっている。
【００３０】
前記支柱フレーム３ａ（３ｃ）と、前記左右方向フレーム１ａ（１ｃ）とは、その接続角度θ１が９３度〜１００度の鈍角にて連結されることが、ネット２０に適度の張りを加え、ネット２０を見栄えよく安定的に張設する上で好ましい。
【００３１】
また、前記接続管部４の前後に連結された前記各前後方向フレーム２ｃ，２ｄと、前記支柱フレーム３ｃとの為す角度θ２は、約９７．５度の鈍角に設定されており、前記接続管部４が水平な設置面から若干浮き上がり（本実施例では約４ｃｍ）、前記前後方向フレーム２ｃ，２ｄの外端部（より詳細には外端部に嵌め込まれた樹脂製のキャップ）のみが設置面と接触して脚として作用するようになっている。従って、ネットの設置面が平らでない場合においてもネットが安定するようになっている。
【００３２】
図１及び図２において、中央より右側に配置されている前記フレーム１ａ，１ｂ，２ａ，２ｂ，３ａ，３ｂは、ネット支持構造体１０を組み付ける際にフレームの組み付け手順に迷うことがないように、かつ、フレームの組付状態を維持できるように、さらには、フレームの収納の際の便宜のために、弾性ゴム紐５によって互いに引き合って各フレーム同士の結合状態を維持するように連結されている。
【００３３】
同様に、図１及び図２において、中央より左側に配置されている前記フレーム１ｃ，１ｄ，２ｃ，２ｄ，３ｃ，３ｄは、弾性ゴム紐５によって互いに結合状態を維持するように連結されている。なお、図３に示すビス５ａは、弾性ゴム紐５の端部を固定するためのものであり、他のフレームにおいても公知の固定手段にて弾性ゴム紐５の端部が固定されている。
【００３４】
ネットの両端に配置される前記左右方向フレーム１ａ（１ｃ）の内端部は、図３に示すように縮径部６となっており、その上側に内端部から長手方向に延びる凹溝６ａが形成されている。そして、前記縮径部６がより内側に配置される左右方向フレーム１ｂ（１ｄ）の外端部に嵌挿されると、それらの左右方向フレーム１ｂ（１ｄ）に陥没形成された凹溝６ｂの底部を受容するようになっている。
【００３５】
従って、前記左右方向フレーム１ａ（１ｃ）と、その内側に配置される前記左右方向フレーム１ｂ（１ｄ）との接合部は、凹溝６ａの上面と凹溝６ｂの裏面（凹溝６ｂによって左右方向フレーム１ｂ（１ｄ）の内部に形成される突条）とが両フレームの長手方向に沿って互いに係合することで、相対回動不能に嵌合する。
【００３６】
さらに、内側に配置される前記左右方向フレーム１ｂ，１ｄは、他のフレームが直線状であるのと異なり、（前記凹溝６ｂが形成された部分が上側となるように、）上に凸となるＲ３０００（ｍｍ）の曲率にて湾曲形成されている。
【００３７】
ネットの中央部に配置される前記左右方向フレーム１ｂの内端部は、図４に示すように縮径部７となっており、その上側に係止突起７ａが下方からバネにて上方へ付勢された状態で突出形成されている。そして、当該係止突起７ａを押さえ込んで縮径部７がネットの中央部に配置される他方の左右方向フレーム１ｄの内端部に嵌挿されると、左右方向フレーム１ｄの上側に透設された係合孔７ｂに係止突起７ａが係合するようになっている。
【００３８】
従って、ネットの中央部に対応する前記左右方向フレーム１ｂと前記左右方向フレーム１ｄとの接合部は、前記係止突起７ａと係合孔７ｂとが互いに係合することで、相対回動不能に嵌合して連結され、４本の左右方向フレーム１ａ〜１ｄが剛性を有する一本のパイプとなるように一体化し、その両端部間の長さが約３ｍとなるように設定されている。
【００３９】
このように相対回動不能の状態で互いに連結された前記左右方向フレーム１ａ〜１ｄは、図５（ａ）に示すように上に凸となる弓なりの状態となり、さらに前記支柱フレーム３ａ，３ｂ及び前記支柱フレーム３ｃ，３ｄを外側へ傾斜した状態で支持している（支柱フレーム３ｂ，３ｄの先端部においてそれぞれ外側へ約１５ｃｍ傾いた状態。）。
【００４０】
そして、これら４本の前記支柱フレーム３ａ〜３ｄと４本の前記左右方向フレーム１ａ〜１ｄは、互いに連結されて一体化することで剛性を有するネット支持構造となり、前記支柱フレーム３ａ，３ｂ及び前記支柱フレーム３ｃ，３ｄが図５（ｂ）に示すように（先端部においてそれぞれ約１５ｃｍづつ引き戻されて）直立した状態となることで発揮される、前記支柱フレーム３ａ〜３ｄと前記左右方向フレーム１ａ〜１ｄの弾性復元力（剛性のあるフレームが弾性変形した状態から元の状態に戻ろうとする復元力）により、前記支柱フレーム３ａ〜３ｄの上端側を外側に開くように付勢可能となっている。
【００４１】
なお、前後方向フレーム２ｂ，２ｄには、面ファスナー８が固定されており、図６に示すように、ネット支持構造体１０を収納する際に右側半分の各フレーム１ａ，１ｂ，２ａ，２ｂ，３ａ，３ｂと、左側半分の各フレーム１ｃ，１ｄ，２ｃ，２ｄ，３ｃ，３ｄとを個別にまとめて収納・運搬できるようになっている。
【００４２】
上記構成されたネット支持構造体１０は、図７に示すように、下側の前記支柱フレーム３ａ，３ｃの上側に支柱フレーム３ｂ，３ｄを接続した状態では支柱の高さが約１５５ｃｍとなり、ネット２０を取り付けることでバドミントン、バレーの練習その他の遊技などに使用することができる。
【００４３】
そして、図７に示すようにネット２０を張設した状態で、前記支柱フレーム３ａ〜３ｄと前記左右方向フレーム１ａ〜１ｄの有する剛性により発揮される弾性復元力は、約２．５ｋｇとなり、ネット２０を強く張った状態に常時安定して維持できるものである。
【００４４】
一方、支柱の下側を構成する前記支柱フレーム３ａ，３ｃから、支柱の上側を構成する支柱フレーム３ｂ，３ｄを外した状態では、支柱の高さが約９１．４ｃｍとなり、図８に示すようにネット２０を取り付けることでテニスの練習などに使用することができる。
【００４５】
そして、図８に示すようにネット２０を張設した状態で、支柱下側の２本の前記支柱フレーム３ａ，３ｃと４本の前記左右方向フレーム１ａ〜１ｄの有する剛性により発揮される弾性復元力は、約５ｋｇとなり、ネット２０を強く張った状態に維持できるものである。
【００４６】
即ち、本実施例のネット支持構造体１０は、ネット２０自体が実質的に伸縮性を有していない場合にも場所を選ぶことなくネット２０を容易に張設可能であり、かつ、支柱の高さを変更して対応できるスポーツや遊技を簡単に多様化することができる。
【００４７】
次に、本実施例のネット支持構造体１０と好適に用いることができるネット２０の細部の構造について説明する。
【００４８】
本実施例のネット２０は、伸縮性に欠ける樹脂糸を編んで形成したネット本体２１と、その左右の端部（長手方向の端部）に縫い付けられ文字またはロゴなどを表示するのに適し伸縮性に欠ける布製の筒状部２２とから構成されている。
【００４９】
即ち、本実施例のネット２０は、ネット自体にゴムなどの柔軟な弾性材料を用いることなく構成されており、常時ゴムの収縮による皺が生じることが無く、かつ、経時変化によるゴム弾性の劣化の影響を受けることが無く、寸法変化がほとんど生じずネット２０の張設状態が常時安定するようになっている。
【００５０】
前記筒状部２２は、その下端部が開放状態となっており、図１、図７〜図９に示すように、筒状部２２の下端側から上側の支柱フレーム３ｂ，３ｄ、又は、連結を解除して重ね合わせた支柱フレーム３ａ，３ｂ若しくは支柱フレーム３ｃ，３ｄを、その弾性復元力に抗して内方に引き戻しながら挿入できるようになっている。
【００５１】
一方、前記筒状部２２の上端部は、その内側に逆三角形状の補強布２３が縫い付けられており、さらに前記支柱フレーム３ｂ，３ｄの上端面（より正確には支柱フレーム３ｂ，３ｄの上端に嵌められた樹脂製のキャップ９の上端面）に対応する部分のみを袋縫いすることなく開放している。
【００５２】
そして、前記支柱フレーム３ｂ，３ｄの上端部に対応する筒状部２２内面には、図１０に示すように、前記支柱フレーム３ｂ，３ｄ（図８に示すテニス用のネットとした場合は支柱フレーム３ａ，３ｃ）の上端面が当接する帯状の別体の布２４が逆Ｕ字状に折り曲げられて縫い付けられ、固定されている。
【００５３】
前記ネット２０は、上記の形態を採用したため、支柱に取り付けた際において、筒状部２２の上端部に変形が生じて皺が生じることが無く、ネット２０全体を正確にしかも強くきれいに張ることができ、前記筒状部２２に記載した文字、ロゴ、商標などの見栄えを害することもない。
【実施例２】
【００５４】
図１１に示す実施例２のネット支持構造体３０は、前記実施例１のネット支持構造体１０と同様に分離された複数のフレームを連結することで一体化できるように構成されているが、左右方向フレーム３１が連結状態にてほぼ直線状となるように形成されており、ネット２０が取り付けられていない状態においては、図１１（ａ）に示すように、両端の支柱フレーム３３が外側に傾斜する状態で接続されている。
【００５５】
そして、左右方向フレーム３１と支柱フレーム３３との接続角度θ１は、前記実施例１と同様に約９５度となっており、両支柱フレーム３３が外側に傾斜している（好ましくはそれぞれ約１０ｃｍ〜２０ｃｍ程度外側に傾いた状態）が、図１１（ｂ）に示すように、支柱を直立させてネット２０を取り付けた状態では、左右方向フレーム３１は若干下に凸となるように弾性変形した状態となる。
【００５６】
そして、外側に傾斜した支柱フレーム３３を、図１１（ｂ）に示すように内側に引き戻してネット２０を張設した状態で、前記支柱フレーム３３と前記左右方向フレーム３１の有する剛性により発揮される弾性復元力は、やはり前記実施例１と同様に約２．５ｋｇ程度となり、ネット２０を強く張った状態に維持できるものである。
【００５７】
前記実施例１及び実施例２においては、支柱フレーム３ａ，３ｃ，３３として直線状のものを用いたが、外側に開くように湾曲した支柱フレーム３ａ，３ｃ，３３を用い、左右方向フレーム１ａ，１ｃ（３１）との接続角度θ１を９０度〜９５度程度として実施することも可能である。
【００５８】
この場合、支柱フレーム３ａ，３ｃ，３３の接続部には相対回動を不能とする構成（例えば凹溝６ａ，６ｂまたは係止突起７ａと係合孔７ｂを用いるような構成）を適宜採用する。
【００５９】
また、前記実施例１及び実施例２においては、両端部の左右方向フレーム１ａ，１ｃ（３１）に接続管部４を設けて実施したが、支柱フレーム３ａ，３ｃ（３３）の下端部に同様の接続管部を設けて実施したり、前後方向フレーム２ａ〜２ｄに接続管部を設けて実施し、その接続管部に他のフレームを連結するようにして実施してもよい。
【００６０】
本発明は上記各実施例に限定されるものではなく、本発明の趣旨を逸脱しない範囲で前記フレーム１ａ〜１ｄ，２ａ〜２ｄ，３ａ〜３ｃの材質、寸法、強度、接続角度または連結方法などを適宜変更したり、弾性ゴム紐５を省略して実施したり、パイプ材に代えて中実の棒材を使用することも可能である。
【００６１】
なお、図７に示すようにネット２０を張設した状態で、前記支柱フレーム３ａ〜３ｄと前記左右方向フレーム１ａ〜１ｄの有する剛性により発揮される弾性復元力としては、約２〜４ｋｇ程度が好適であり、各フレームの強度及びネット２０のサイズや重量などを考慮して適宜選択できるものである。
【００６２】
また、本発明のネット支持構造体は、ネット自体にゴムなどの柔軟な弾性材料を組み込むことなく、ネットを強く長期間安定して張設できるものであるが、ゴムなどの柔軟な弾性材料を組み込んだネットの使用を排除するものではなく、そのようなネットであってもネットを張設できるものである。
【産業上の利用可能性】
【００６３】
本発明は、バドミントン、テニス、バレーなどのネットを用いるスポーツまたは遊技に使用できるネット支持構造体及びネットセットの製造において好適に利用可能である。
【符号の説明】
【００６４】
１ａ〜１ｄ    左右方向フレーム
２ａ〜２ｄ    前後方向フレーム
３ａ〜３ｄ    支柱フレーム
４    接続管部
５    弾性ゴム紐
６    縮径部
６ａ  凹溝
６ｂ  凹溝
７    縮径部
７ａ  係止突起
７ｂ  係合孔
８    面ファスナー
９    キャップ
１０  ネット支持構造体（実施例１）
２０  ネット
２１  ネット本体
２２  筒状部
２３  補強布
２４  別体の布
３０  ネット支持構造体（実施例２）
３１  左右方向フレーム
３３  支柱フレーム
【図１】
2011024660.tif 000003
【図２】
2011024660.tif 000004
【図３】
2011024660.tif 000005
【図４】
2011024660.tif 000006
【図５】
2011024660.tif 000007
【図６】
2011024660.tif 000008
【図７】
2011024660.tif 000009
【図８】
2011024660.tif 000010
【図９】
2011024660.tif 000011
【図１０】
2011024660.tif 000012
【図１１】
2011024660.tif 000013